(57)【要約】【課題】一般家庭あるいは小規模事業場で使用できる、小型で低価格な、ごみの減容化装置を提供。【解決手段】円筒の本体容器（１）内の下部に、上下に移動自在の状態で置かれた、圧縮板（２）があり、本体容器（１）内の上部には、回転刃（３）があり、更に、その上部に破砕したごみを収納するごみ室（１６）があり、圧縮板（２）と回転刃（３）の間に投入口扉（１３）を設け、その投入口扉（１３）開け、本体容器（１）内にごみを投入後、投入口扉（１３）を閉めて、本体容器（１）全体を上下方向に１８０度回転させることにより、圧縮板（２）を落下させ圧縮板（２）の自重で、ごみを圧縮していき回転刃（３）によりごみを破砕していくという独特の構造により部品点数が少なくすみ、また、小型化にも成功した。【選択図】        図１
2004275944.tif 000002
【特許請求の範囲】
【請求項１】
円筒の本体容器（１）内の上部に、モーター（１１）により回転する回転刃（３）を設置し、更に、この回転刃（３）の上部に、破砕されたごみを収納するごみ室（１６）を設け、そして、この本体容器（１）内の下部には、上下に移動自在の圧縮板（２）があり、上部の回転刃（３）と下部の圧縮板（２）の間を圧縮室（１５）として、その本体容器（１）内の圧縮室（１５）に、ごみを投入できるように投入口扉（１３）を設け、この投入口扉（１３）から圧縮室（１５）内に投入されたごみは、本体容器（１）を上下方向に１８０度回転させる事により、本体容器（１）内の下部に上下に移動自在で置かれていた圧縮板（２）を自重により前記回転刃（３）側に落下させて圧縮板（２）の重量により圧縮していき、その圧縮されたごみを回転刃（３）により破砕し、破砕したごみを前記ごみ室（１６）内に収納するのを特徴としたごみ圧縮破砕機。
【請求項２】
請求項１記載の、円筒の本体容器（１）内の下部に、上下に移動自在の圧縮板（２）があり、本体容器（１）を上下方向に１８０度回転させることにより、圧縮板（２）を落下させ圧縮板（２）の自重により、ごみを圧縮させる方法。
【発明の詳細な説明】
【０００１】
【発明が属する技術分野】
本発明は、一般家庭あるいは小規模事業場で発生する、紙くず、紙容器、ビニール、プラスチック類、合成樹脂製の容器等を圧縮、破砕し、ごみを減容化する装置に関するものである。
【０００２】
【従来の技術】
従来のごみを圧縮または、破砕する機械は大型で、かつ高価な装置となっているのが現状である。（例えば、特許文献１参照。）。
また、一般家庭用でも、ごみを圧縮するのに、複雑な構造になっている。（例えば、特許文献２参照。）。
【０００３】
【特許文献１】
特開平９−２０１５４４号公報（図面、第１図）
【特許文献２】
特開平７−１７１５３９号会報（図面、第１図）
【０００４】
【発明が解決しようとする課題】
解決しようとする問題点は、一般家庭あるいは小規模事業場で発生するごみを破砕し、減容化することのできる小型で低価格な装置が、できない点である。
【０００５】
【課題を解決するための手段】
本発明は、一般家庭あるいは小規模事業場から出るごみを減容化するためにまず、ごみを圧縮し、破砕するのだが、その圧縮するのに特別な動力や複雑な構造にするのでなく、本体容器を上下方向に１８０度回転させることにより、本体容器内の圧縮板を落下させ圧縮板の自重によって、ごみを圧縮し、回転刃により破砕するという、単純な構造をもつ、ごみの減容化装置である。
【０００６】
【発明の実施の形態】
ごみを圧縮し、破砕して、減容化する装置を単純な構造にすることにより小型化し、低価格な装置を実現した。
【０００７】
【実施例】
図１および図２は、本発明の実施例の縦断面図であり、（１）は、円筒の本体容器である。圧縮板（２）は、本体容器（１）内に、上下に移動自在の状態で入っているのだが、回転刃（３）により圧縮板（２）も回転する可能性があるので、回転防止角材（４）を、本体容器（１）に取りつけ、更に、ごみの圧縮工程時の、ごみの回転防止のために、ごみと接触する部分（２ａ）は、平面ではなく、傾斜をつけている。
【０００８】
回転刃（３）は、ベアリング（５）、（７）と、シャフト（６）、回転刃プーリー（８）から構成されていて、Ｖベルト（９）にて、モーター（１１）で回転する。（１２）は、（５）のベアリングのベアリングケースと、固定刃を兼ねており、回転刃（３）と固定刃（１２）で、ごみを挟み込んで破砕する。図１の状態は、ごみを圧縮、破砕する前の状態で、この時、投入口扉（１３）を開けてごみを圧縮室（１５）内に投入する。図２は、図１から上下方向に１８０度回転させた状態を示す図であり圧縮板（２）は、自重により、回転刃（３）まで落下してきている。この状態が、ごみを圧縮し、破砕し終えた状態で破砕したごみは（１６）のごみ室内に落ちてきて収納される。尚、図中の（１０）はモータープーリー、（１４）はモーターカバーを示す。
【０００９】
図３は、本発明を正面から見た全体図であり、本体容器（１）の中心部分を（１７）の２本の支柱（１７）で挟み込むように取りつけられてあり、本体容器（１）は、上下方向に回転できるようになっている。この本体容器（１）の上下方向の回転を９０度毎の位置で止めることが出来るように、（２８）のフランジにはストッパーピン（１８）が入る穴が上下左右に１個ずつ計４個開けてあり、（２６）のスプリングの圧縮に生じた荷重によってストッパーピン（１８）が（２８）のフランジの穴に押し込まれ、本体容器（１）の位置決めをしている。（２３）は運転スイッチで、運転スイッチ（２３）を押すと図示していないモーターによって回転刃が回転する。（２２）は、前記モーターの回転を止める停止スイッチである。（１３）は投入口扉で、（１９）は排出扉、（２０）、（２１）はリミットスイッチで、（１３）、（１９）の扉が、１つでも開いていると、リミットスイッチ（２０）、（２１）によって、運転スイッチ（２３）を入れても、モーターは回転しない。また、運転中１つでも扉が開くと、リミットスイッチ（２０）、（２１）によってモーターの回転は停止する。
【００１０】
図４は、図１のＡ−Ａ線に沿う断面図であり、固定刃（１２）のすぐ上を回転刃（３）が回転するようになっており、（２４）は、回転刃（３）の断面図で、（２５）は、固定刃（１２）の断面図である。
【００１１】
図５は、図１のＢ−Ｂ線に沿う断面図であり、（２）の圧縮板は、（４）の回転防止角材により回転しないようになっている。
【００１２】
図６は、本発明の実施例の動作について説明している図で、本発明を横から見て説明している。尚、図１、図２、図３も参照して説明していく。ステップ１は、投入口扉（１３）を開けて、ごみを投入するところであり、ごみを投入した後、投入口扉（１３）を閉めて図示していない運転スイッチを入れる。運転スイッチを入れることにより、図１に示しているモーター（１１）が回転し、Ｖベルト（９）により回転刃（３）が回転する。これは、モーター始動時、モーターに大きな負荷をかけることが出来ないので、前記回転刃（３）に、ごみが、かんでいない時に前記モーター（１１）を回転させておく必要がある為である。ステップ２は、図３に示しているスプリング（２６）の圧縮に生じた荷重によって、本体容器（１）の位置決めをしているストッパーピン（１８）を手で引き、図６に示しているステップ１の状態の本体容器（１）を手でゆっくりと上下方向に１８０度回転させている途中を表しており、この時の、本体容器（１）内のごみは、図１に示している圧縮板（２）が回転刃（３）側に落下していき、圧縮板（２）の自重により、ごみが回転刃（３）側に圧縮され破砕されている途中の状態である。ステップ３は、完全に本体容器（１）がステップ１の状態から上下方向に１８０度回転し、逆さまになっており、図２に示しているように圧縮板（２）が、回転刃（３）まで落下しており、ごみを圧縮、破砕し終えたところである。次に図示していない停止スイッチを押し、図３に示しているスプリング（２６）の圧縮に生じた荷重によって、本体容器（１）の位置決めをしているストッパーピン（１８）を手で引き、図６に示しているステップ３の本体容器（１）を上下方向に９０度回転させ、前記ストッパーピン（１８）がスプリング（２６）の圧縮に生じた荷重によりロックされるのを確認して、手を離したところがステップ４である。ステップ４まできたら、音と振動により図示していない回転刃が完全に停止したことを確認して、排出扉（１９）の下に、ごみを入れる容器（２７）等を持ってきて排出扉（１９）を開け、破砕したごみを、ごみを入れる容器（２７）内に落とし出す。後は排出扉（１９）を閉めて図３に示しているスプリング（２６）の圧縮に生じた荷重によって、本体容器（１）の位置決めをしているストッパーピン（１８）を手で引き、ステップ１の状態に戻しておく。
【００１３】
【発明の効果】
以上説明したように、本発明のごみ圧縮破砕機はごみを圧縮する方法に、本体容器を上下方向に１８０度回転させて圧縮板を落下させ、圧縮板がもつ自重でごみを圧縮するという、独特の構造により部品点数を少なくし、コストダウンができ、また、小型化にも成功しているので、一般家庭あるいは小規模事業場で、使用できる装置である。
【図面の簡単な説明】
【図１】本発明の実施例における、ごみ圧縮破砕機の縦断面図である。
【図２】本発明の実施例における、ごみ圧縮破砕機の縦断面図である。
【図３】本発明を、正面から見た全体図である。
【図４】図１のＡ−Ａ線に沿う断面図である。
【図５】図１のＢ−Ｂ線に沿う断面図である。
【図６】本発明の動作を示す、横から見た全体図である。
【符号の説明】
１    本体容器
２    圧縮板
２ａ  圧縮板のごみ接触部分
３    回転刃
４    回転防止角材
５    ベアリング
６    シャフト
７    ベアリング
８    回転刃プーリー
９    Ｖベルト
１０    モータープーリー
１１    モーター
１２    固定刃
１３    投入口扉
１４    モーターカバー
１５    圧縮室
１６    ごみ室
１７    支柱
１８    ストッパーピン
１９    排出扉
２０    リミットスイッチ
２１    リミットスイッチ
２２    停止スイッチ
２３    運転スイッチ
２４    回転刃の断面図
２５    固定刃の断面図
２６    スプリング
２７    ごみを入れる容器
２８    フランジ
【図１】
2004275944.tif 000003
【図２】
2004275944.tif 000004
【図３】
2004275944.tif 000005
【図４】
2004275944.tif 000006
【図５】
2004275944.tif 000007
【図６】
2004275944.tif 000008